(57)【要約】【課題】板状の座席を左右方向の軸廻りに回動自在に備えた場合でも左右方向に折り畳むことができ、安定した着座姿勢を確保しつつ十分に小さなスペースに収納できるようにする。【解決手段】連結杆８を支持体１に対して前後方向の軸廻りについて水平位置から上方にのみ回転自在にするとともに、座席杆４及び座席６を連結杆８を中心にして左右方向の軸廻りについて水平方向から上方にのみ回転自在にし、補強連結杆５を支持体１に対して上下方向の軸廻りに背面側に回転自在にし、左右方向の軸廻りの回転によって略垂直となる位置で座席６及び連結杆４を固定する固定部材１６を設けた。座席６及び連結杆４を、歩行時には略垂直となる位置まで、着座時には水平位置まで、左右方向の軸廻りに回転させる。収納時には、座席６及び連結杆４を前後方向の軸廻りに回転させて支持体１，１を互いに接近させる。【選択図】図４
2005118155.tif 000002
【特許請求の範囲】
【請求項１】
それぞれの前側下端部及び後側下端部に車輪を軸支した左右の支持体と、
左右の支持体のそれぞれにおいて一端部を前後方向の軸廻りに回転自在に支持され、水平位置において長手方向が左右方向に一致する左右の連結杆と、
左右の連結杆のそれぞれの開放端である他端部を前後方向の軸廻りにおける左右の連結杆の水平位置から下方への移動を規制して連結する第１の連結部材と、
それぞれの一端部において左右の連結杆のそれぞれの中間部に左右方向の軸廻りに回転自在に支持された左右の座席杆と、
左右の座席杆の他端部を前後方向の軸廻りにおける左右の連結杆の回転に伴う左右の座席杆の水平位置から下方への移動を規制して連結する第２の連結部材と、
左右方向の軸廻りにおける左右の座席杆の水平位置から下方への移動を規制する規制部材と、
左右の座席杆を左右方向の軸廻りにおける水平位置から上方に回動して略垂直となる位置で選択的に固定する固定部材と、
左右の座席杆の上面側で一方の座席杆に固定された板状の座席と、
を備え、水平位置における左右の座席杆を左右の連結杆の背面側に配置したことを特徴とする歩行補助車。
【請求項２】
それぞれの一端部が前記左右の支持体のそれぞれの前面側において略鉛直方向の軸廻りに回転自在に支持された少なくとも左右各１つの補強連結杆と、
左右の補強連結杆のそれぞれの他端部を前面方向への移動を規制して連結するとともに、左右の座席杆に伴って略垂直位置に回転した座席の下端部が背面側に当接する補強連結部材と、
をさらに設けたこと特徴とする請求項１に記載の歩行補助車。
【発明の詳細な説明】
【技術分野】
【０００１】
この発明は、高齢者や病弱者の歩行時に身体を支えるとともに、任意の場所に移動可能な椅子として使用することができる歩行補助車に関する。
【背景技術】
【０００２】
従来より、下肢の不自由な高齢者や病弱者の歩行時に身体を支える歩行補助車が使用されている。歩行補助車は、本体上部にハンドルを備えるとともに本体下部の４隅に車輪を備え、本体の背面側に立った使用者が前傾姿勢でハンドルを把持し、本体を前面側に押すようにして使用される。このような歩行補助者として、使用者の疲労時等において任意の場所で着座姿勢をとることができるように座席を備えたものがある。また、従来の歩行補助車として、運搬時や収納時の作業性を考慮して本体を折り畳めるように構成したものもある（例えば、特許文献１及び２参照。）。
【０００３】
上記特許文献１及び２に開示された構成では、板状の座席を歩行補助車本体の左右方向の軸廻りに回動自在に備え、本体は前後方向に折り畳まれる。特に、特許文献２に開示された構成では、本体の背面側に位置する使用者が本体の前面側に回り込むことなく座ることができるように、本体の背面側に露出するように座席を支持している。これらの構成において、座席を板状に構成しているのは、使用者の着座姿勢を堅牢に支持するためである。また、本体を前後方向に折り畳むようにしているのは、板状の座席を左右方向の軸廻りに回動させるように構成した場合に、本体を幅方向に折り畳むことが困難だからである。
【特許文献１】特開２００１−０４６４５２号公報
【特許文献２】特開２００１−３０９９５６号公報
【発明の開示】
【発明が解決しようとする課題】
【０００４】
しかしながら、上記特許文献１及び２に開示されているように、板状の座席を本体の左右方向の軸廻りに回動自在に備え、本体を前後方向に折り畳むようにした従来の歩行補助車では、前後の車輪が互いに干渉しない範囲にしか折り畳むことができず、また、ハンドルが前後方向に折り曲げられているため、平面方向の投影面積が十分に小さくなるように折り畳むことが困難で、折り畳んだ状態でも比較的大きな収納スペースを必要とする問題がある。
【０００５】
この発明の目的は、板状の座席を左右方向の軸廻りに回動自在に備えた場合でも、本体を左右方向に折り畳むことができるようにし、平面方向の投影面積が十分に小さくなるように折り畳むことができ、安定した着座姿勢を確保しつつ十分に小さなスペースに収納することができる歩行補助車を提供することにある。
【課題を解決するための手段】
【０００６】
この発明は、上記の課題を解決するために、
（１）それぞれの前側下端部及び後側下端部に車輪を軸支した左右の支持体と、
左右の支持体のそれぞれにおいて一端部を前後方向の軸廻りに回転自在に支持され、水平位置において長手方向が左右方向に一致する左右の連結杆と、
左右の連結杆のそれぞれの開放端である他端部を前後方向の軸廻りにおける左右の連結杆の水平位置から下方への移動を規制して連結する第１の連結部材と、
それぞれの一端部において左右の連結杆のそれぞれの中間部に左右方向の軸廻りに回転自在に支持された左右の座席杆と、
左右の座席杆の他端部を前後方向の軸廻りにおける左右の連結杆の回転に伴う左右の座席杆の水平位置から下方への移動を規制して連結する第２の連結部材と、
左右方向の軸廻りにおける左右の座席杆の水平位置から下方への移動を規制する規制部材と、
左右の座席杆を左右方向の軸廻りにおける水平位置から上方に回動して略垂直となる位置で選択的に固定する固定部材と、
左右の座席杆の上面側で一方の座席杆に固定された板状の座席と、
を備え、水平位置における左右の座席杆を左右の連結杆の背面側に配置したことを特徴とする。
【０００７】
この構成においては、左右の連結杆のそれぞれの一端部が、前側下端部及び後側下端部に車輪を軸支した左右の支持体のそれぞれに、前後方向の軸廻りに回転自在にして支持される。左右の連結杆のそれぞれの他端部は、第１の連結部材によって左右の連結杆が前後方向の軸廻りにおける水平位置から下方に移動できない状態で連結される。左右の連結杆の中間部には、左右の座席杆の一端部が左右方向の軸廻りに回転自在に支持される。左右の座席杆は、左右の連結杆に伴って前後方向の軸廻りに回転する際に水平位置から下方に移動できない状態で第２の連結部材によってそれぞれの他端部を連結される。また、左右の座席杆は、規制部材によって左右方向の軸廻りにおける水平位置から下方に移動できない状態にされている。
【０００８】
このため、各連結杆及び各座席杆は、前後方向の軸廻りについて水平位置から上方にのみ回転し、水平位置から下方へは回転しない。また、各座席杆は、左右方向の軸廻りについて水平位置から上方にのみ回転し、水平位置から下方へは回転しない。さらに、各連結杆は、左右方向の軸廻りについて水平位置から上方に回転して略垂直となる位置で固定部材によって選択的に固定される。左右の座席杆は水平位置において左右の連結杆の背面側に位置しており、左右の座席杆は略垂直となる位置において左右の連結杆の上面側に位置する。
【０００９】
したがって、左右の座席杆は、座席とともに左右方向の軸廻りについて水平位置と水平位置から上方に回転して略垂直となる位置との間で回転し、座席は水平状態又は略垂直状態に選択的に保持される。左右の座席杆が略垂直となる位置にあるときは、左右の連結杆の上面側に左右の座席杆が位置しているため、左右の連結杆は前後方向の軸廻りにおける水平位置から上方に回転することができない。一方、左右の座席杆が水平位置にあるときは、左右の連結杆の背面側に左右の座席杆が位置しているため、左右の連結杆は前後方向の軸廻りにおける水平位置から上方に回転することができる。左右の連結杆を前後方向の軸廻りについて水平位置から上方に回転させると、左右の連結杆の端部を支持した左右の支持体が互いに接近する。このとき、各座席杆は各連結杆に伴って前後方向の軸廻りついて上方に回転するが、座席は他方の座席杆の上面から離れて一方の座席杆とともに回転する。
【００１０】
（２）それぞれの一端部が前記左右の支持体のそれぞれの前面側において略鉛直方向の軸廻りに回転自在に支持された少なくとも左右各１つの補強連結杆と、
左右の補強連結杆のそれぞれの他端部を前面方向への移動を規制して連結するとともに、左右の座席杆に伴って略垂直位置に回転した座席の下端部が背面側に当接する補強連結部材と、
をさらに設けたこと特徴とする。
【００１１】
この構成においては、左右の補強連結杆が支持体の前面側において略鉛直方向の軸廻りに回転自在に支持され、各補強連結杆は背面方向にのみ回転可能にされている。したがって、左右の連結杆を前後方向の軸廻りについて上方に回転させると、左右の補強連結杆は互いに連結された端部が背面方向に移動するように回転する。しかし、左右の座席杆が略垂直となる位置にある状態では、補強連結部材の背面に座席の下端部が当接し、各補強連結杆の背面方向への回転も規制される。
【発明の効果】
【００１２】
この発明の歩行補助車によれば、左右の座席杆を左右方向の軸廻りについて水平位置と水平位置から上方に回転した略垂直となる位置との間で回転させることによって座席を水平状態又は傾斜した状態に選択的に保持することができるとともに、左右の座席杆が水平位置にある状態から左右の連結杆を前後方向の軸廻りについて左右の連結杆の水平位置から上方に回転させることによって座席を他方の座席杆の上面から離れて一方の座席杆とともに回転させつつ、左右の支持体を互いに接近させることができる。これによって、板状の座席を左右方向の軸廻りに回動自在に備えた場合でも、本体を平面方向の投影面積が十分に小さくなるように左右方向に折り畳むことができ、十分に小さなスペースに収納することができる。
【００１３】
一方、左右の座席杆が略垂直となる位置にある状態では左右の連結杆の上面側に左右の座席杆が位置することから、左右の連結杆の前後方向の軸廻りについて上方に回転させることができず、座席を略垂直となる位置にして歩行している間には左右の支持体が互いに近接することはなく、歩行時における使用者の安全性が確保される。
【発明を実施するための最良の形態】
【００１４】
図１（Ａ）〜（Ｃ）は、この発明の実施形態に係る歩行補助車の正面図、左側面図及び背面図である。この発明の歩行補助車１０は、左右の側面を構成する支持体１，１のそれぞれの前側下端部及び後側下端部に前輪２，２及び後輪３，３を軸支し、左右の支持体１，１の間に左右１対の座席杆４ａ，４ｂ、左右１対の連結杆８ａ，８ｂ（図示せず。）、左右１対の補強連結杆５，５、及び、帯状の背当て７を配置し、さらに、左右の座席杆４ａ，４ｂの上面に板状の座席６を載置して構成されている。
【００１５】
支持体１は、一例として、金属製円筒形状のパイプ１ａ〜１ｃを組み合わせて構成されている。直線状のパイプ１ａは、長手方向を垂直方向から後傾させた上下方向にして配置され、下端部において軸支部材２１を介して前輪２を軸支するとともに、上端部において固定ネジ１２を介してハンドル１１を伸縮自在に備えている。略Ｌ字状に折り曲げられたパイプ１ｂは、一端部が接合部材１３を介してパイプ１ａの中間部に接合され、他端部において軸支部材３１を介して後輪３を軸支する。パイプ１ｂは、パイプ１ａとの固定部から水平に背面方向に延出している。直線状のパイプ１ｃの両端部のそれぞれは、接合部材１４及び１５を介してパイプ１ａの下端部近傍及びパイプ１ｂの下端部近傍に接合されている。
【００１６】
背当て７は、一例として布を素材として形成されており、左右の支持体１におけるパイプ１ａ，１ａの上端部近傍に巻着されている。
【００１７】
補強連結杆５は、一例として、金属製円筒形状のパイプ５ａ〜５ｄを組み合わせて構成されている。上下２本の水平方向のパイプ５ａ，５ｂは、一端部５ａａ，５ｂａにおいて軸支部材５１，５２を介して支持体１のパイプ１ａにパイプ１ａの軸方向に平行な軸廻りに回転自在に支持されている。２本の垂直方向のパイプ５ｃ，５ｄのそれぞれの両端は、パイプ５ａ，５ｂのそれぞれの中間部に溶接によって接合されている。
【００１８】
したがって、パイプ５ｃ，５ｄは、補強連結杆５としてパイプ５ａ，５ｂと一体的に、支持体１に対してパイプ１ａの長手方向に平行な上下方向の軸廻りに回転する。左右の補強連結杆５，５のそれぞれのパイプ５ａ，５ｂの各他端部５ａｂ，５ｂｂは、補強連結部材５３，５４を介して連結されている。補強連結部材５３，５４は、パイプ５ａ，５ｂの各他端部５ａｂ，５ｂｂが支持体１のパイプ１ａよりも前面側に移動することを規制する。このため、補強連結杆５，５は、支持体１のパイプ１ａの長手方向に平行な軸廻りについて、左右の補強連結杆５，５が平行になる位置から背面側へのみ回転する。
【００１９】
なお、補強連結杆５，５は、必須の構成ではなく、支持体１，１，連結杆８ａ，８ｂ及び座席杆４ａ，４ｂによって十分な強度が確保されることを条件に省略することもできる。
【００２０】
図２は、上記歩行補助車の連結杆及び座席杆の構成を示す底面図である。左右一対の座席杆４ａ，４ｂのそれぞれは、一例として、金属製円筒形状のパイプを底面から見て略コの字状に折り曲げて構成されている。左右一対の連結杆８ａ，８ｂのそれぞれは、一例として、金属製円筒形状のパイプによって構成されている。
【００２１】
左側の連結杆８ａは、一端部８ａａを支持部材４１を介して支持体１において前後方向の軸廻りに回転自在に支持されている。左側の座席杆４ａは、一端部４ａａの近傍で接合部材４２を介して左側の連結杆８ａの中間部において左右方向の軸廻りに回転自在にして接合されている。右側の連結杆８ｂは、一端部８ｂａを支持部材４１を介して支持体１において前後方向の軸廻りに回転自在に支持されている。右側の座席杆４ｂは、一端部４ｂａの近傍で接合部材４２を介して右側の連結杆８ｂの中間部において左右方向の軸廻りに回転自在にして接合されている。左右の座席杆４ａ，４ｂの上方には、板状の座席６が配置される。座席６は固定板６１を介して左側の座席杆４ａにのみ固定されている。
【００２２】
左右の連結杆８ａ，８ｂのそれぞれの他端部８ａｂ，８ｂｂは、第１の連結部材４３を介して前後方向の軸廻りに回転自在、かつ下方向への回転を規制して連結されている。左右の座席杆４ａ，４ｂのそれぞれの他端部４ａｂ，４ｂｂは、第２の連結部材４４を介して前後方向の軸廻りに回転自在、かつ下方向への回転を規制して連結されている。
【００２３】
左右の座席杆４ａ，４ｂは、水平位置において左右の連結杆８ａ，８ｂの背面側に位置している。このため、左右の座席杆４ａ，４ｂが水平位置にある場合には、左右の連結杆８ａ，８ｂは左右の座席杆４ａ，４ｂとともに支持体１のパイプ１ｂを中心にして前後方向の軸廻りに上方に向って回転することができる。このとき、座席６は右側の座席杆４ｂの上面から離れ、左側の座席杆４ａとともに上方に向って回転する。連結杆８ａ，８ｂの他端部８ａｂ，８ｂｂ、及び、座席杆４ａ，４ｂの他端部４ａｂ，４ｂｂが上方に移動するにしたがって、左右の支持体１，１のパイプ１ｂ，１ｂの間隔が減少し、左右の支持体１，１は互いに接近する。
【００２４】
左右の連結杆８ａ，８ｂが水平位置にある場合には、左右の座席杆４ａ，４ｂは左右の連結杆８ａ，８ｂを中心にして一体的に左右方向の軸廻りに上方に向って回転することができる。左右の座席杆４ａ，４ｂが略垂直となる位置に達すると、左右の座席杆４ａ，４ｂは左右の連結杆８ａ，８ｂの上面側に位置する。これによって、左右の連結杆８ａ，８ｂは、支持体１のパイプ１ｂを中心に前後方向の軸廻りに上方へ回転することができなくなる。即ち、左右の連結杆８ａ，８ｂのそれぞれは、左右の座席杆４ａ，４ｂが水平位置にある場合にのみ、左右の座席杆４ａ，４ｂのそれぞれとともに前後方向の軸廻りに上方へ回転することができる。
【００２５】
支持部材４１，４１は、支持体１のパイプ１ｂに外嵌して回転自在に取り付けられているとともに、パイプ１ｂに直交する方向に嵌入した連結杆８ａ，８ｂの一端部８ａａ，８ｂａを軸支する。これによって、連結杆８ａ，８ｂは、支持部材４１，４１とともに支持体１，１のパイプ１ｂ，１ｂに対して前後方向の軸廻りに回転する。座席杆４ａ，４ｂにおいてパイプ１ｂ，１ｂに平行な中央部には、規制部材４５，４５が固定されている。規制部材４５，４５は、座席杆４ａ，４ｂの外側に延出しており、パイプ１ｂ，１ｂの外周面に上方から嵌着する。規制部材４５，４５がパイプ１ｂ，１ｂの外周面に上方から嵌着することにより、座席杆４ａ，４ｂの左右方向の軸廻りの回転範囲が水平位置よりも上方に限定される。
【００２６】
図３（Ａ）〜（Ｃ）は、上記歩行補助車における連結部材の一例を示す平面図、正面図及び底面図である。連結杆８ａ，８ｂの端部８ａｂ，８ｂｂを連結する第１の連結部材４３は、下方に開口した断面コの字型を呈しており、長手方向の両端部から連結杆８ａ，８ｂの端部８ａｂ，８ｂｂのそれぞれが嵌入する。端部８ａｂ，８ｂｂのそれぞれは、図３（Ａ），（Ｃ）に示すように前後方向に圧縮されており、図３（Ｂ）に示すように半円形状にされている。第１の連結部材４３は、内部において端部８ａｂ，８ｂｂのそれぞれにピン４３１を順に貫通させることにより、連結杆８ａ，８ｂを前後方向の軸廻りに軸支している。
【００２７】
第１の連結部材４３は、上面の内側面を連結杆８ａ，８ｂの端部８ａｂ，８ｂｂの上面に当接させており、連結杆８ａ，８ｂの端部８ａｂ，８ｂｂが第１の連結部材４３を下方に移動させるように回転することを規制する。第１の連結部材４３の長手方向における上面の中央部は部分円弧状に上方に突出しており、端部８ａｂ，８ｂｂが第１の連結部材４３を上方に移動させるように回転することを許容する。これによって、左右の連結杆８ａ，８ｂの前後方向の軸廻りにおける回転範囲が、水平位置よりも上方の範囲に限定されている。
【００２８】
なお、左右の座席杆４ａ，４ｂの端部４ａｂ，４ｂｂを連結する第２の連結部材４４、及び、補強連結杆５においてパイプ５ａ，５ｂを連結する補強連結部材５３，５４も、第１の連結部材４３と同様に構成されている。
【００２９】
図４は、上記歩補助車の使用状態を説明する図である。使用者が歩行補助車１０を支えにして歩行する場合には、側面図である図４（Ａ）に示すように、図１に示した状態から座席６の背面側を上方に持ち上げ、座席６を座席杆４ａ，４ｂとともに支持体１，１に対して左右方向の軸廻りに水平位置から上方に向けて回転させる。これによって、左右の支持体１，１の間におけるハンドル１１，１１の背面側に使用者の身体を存在させるための空間が形成される。
【００３０】
なお、少なくとも一方の支持体１のパイプ１ａには、左右方向の軸廻りの回転範囲において略垂直となる位置で座席杆４ａを選択的に固定する固定部材１６が取り付けられいる。固定部材１６を介して左右方向の軸廻りの回転範囲において略垂直となる位置で座席杆４ａを固定することにより、使用者が歩行補助車１０を支えにして歩行している間に座席６が座席杆４ａ，４ｂとともに下方に回転することがない。
【００３１】
また、上述の通り、座席杆４ａ，４ｂが略垂直となる位置に固定されている状態では、連結杆８う，８ｂは前後方向の軸廻りに回転することができず、左右の支持体１，１が左右方向に互いに接近することがない。このため、使用者が歩行補助車１０を支えにして歩行している間に左右の支持体１，１の左右方向の位置が変化することがなく、使用者の安全性が確保される。
【００３２】
固定部材１６は、例えば、図５に示すように、Ｌ字型の留め具１６３が上下に貫通する本体１６２を、取付金具１６１を介して支持体１のパイプ１ａに固定される。留め具１６３にはコイルバネ１６４が外嵌しており、留め具１６３はコイルバネ１６４の弾性力によって上方に付勢されている。取付金具１６１の上端部にはストッパ１６１ａが突出して形成されており、留め具１６３をコイルバネ１６４の弾性力に抗して下方に押圧しつつ回転させ、留め具１６３の水平部分をストッパ１６１ａの下方に当接させる。これによって、留め具１６３の垂直部分の下端部が下方に露出した状態が維持される。
【００３３】
座席６とともに連結杆４ａ，４ｂを左右方向の軸廻りの回転範囲において略垂直となる位置まで回転させると、連結杆４ａのパイプ４ｂに固定されている規制部材４５が、固定部材１６の下方に接近する。この状態で固定部材１６の留め具１６３を図５（Ａ）に示す位置から図５（Ｂ）に示す位置に移動させることにより、留め具１６３の垂直部分の下端部が規制部材４５に当接し、連結杆４が水平位置に向けて下方に回転することを防止する。
【００３４】
使用者が歩行補助者１０による歩行を止めて休憩する際には、図４（Ａ）に示した状態から、固定部材１６による固定を解除して連結杆４ａ，４ｂ及び座席６を左右方向の軸廻りに下方に向けて回転させ、図１に示したように連結杆４ａ，４ｂ及び座席６を水平位置にする。これによって、ハンドル１１，１１の背面側に座席６が水平に延出し、使用者は支持体１，１の前面側に回り込むことなく座席６に着席することができ、容易に着座姿勢をとることができる。
【００３５】
歩行補助車１０を収納する際には、図１に示した状態から、座席６の左右方向における一端側（座席杆４に固定されていない側。ここでは右側。）を上方に持ち上げる。これによって、左右の座席杆４ａ，４ｂのうちで座席６を固定した一方の座席杆４（ここでは左側の連結杆４ａ）が一方の連結杆８ａとともに一方の支持体１に対して前後方向の軸廻りに上方に回転する。この一方の座席杆４ａ及び連結杆８ａの回転は連結部材４３，４４を介して他方の座席杆４ｂ及び連結杆８ｂに対称に伝達され、他方の座席杆４ｂ及び連結杆８ｂも他方の支持体１に対して前後方向の軸廻りに上方に回転する。
【００３６】
これによって、背面図である図４（Ｂ）に示すように、左右の支持体１，１が互いに接近し、これに伴って左右の補強連結杆５，５が互いに平行となる位置から支持体１，１に対して上下方向の軸廻りに背面側に向けて回転する。この結果、背面図である図４（Ｃ）に示すように、左右の補強連結杆５，５が、互いに接近した左右の支持体１，１の間における左右の座席杆４ａ，４ｂの下方に収納される。
【００３７】
図２に示したように、左右の座席杆４ａ，４ｂが平面位置にある状態で、左右の連結杆８う，８ｂの上面に一部が対向するように座席６の前後方向の長さが設定されている。したがって、左右の座席杆４ａ，４ｂを座席６ととともに略垂直となる位置に回転させた際には、左右の連結杆８ａ，８ｂの前面側に座席６の一部が下端部として位置し、この部分が補強連結部材５３の背面に当接する。これによって、左右の補強連結杆５，５は、上下方向の軸廻りにおける背面側への回転を規制され、歩行中に左右の支持体１，１が左右方向に変位することを防止できる。
【００３８】
以上のようにして、この歩行補助車１０は、板状の座席６を左右の支持体１，１の間で左右方向の軸廻りに回転自在に備えながらも、左右の支持体１，１を互いに左右方向に接近させて折り畳むことができ、安定した着座姿勢をとることができるようにしつつ、収納スペースを十分に小さく構成することができる。また、座席６を略垂直となる位置にした歩行時に、左右の支持体１，１が互いに左右方向に近接することを確実に防止でき、歩行中の使用者の安全性を確保することができる。
【００３９】
なお、座席杆４及び座席６を略垂直となる位置に固定する固定部材として、背当て７と座席６の座面とのそれぞれの当接位置に、例えば面ファスナーを設けることもできる。また、背当て７又は座席６の底面との何れか一方に布等の可撓性材料からなるテープの一端を固定し、背当て７又は座席６の底面の他方とテープの他端とに面ファスナーを設け、背当て７及び座席６における使用者との接触部分に面ファスナーが露出しないようにしてもよい。
【図面の簡単な説明】
【００４０】
【図１】の発明の実施形態に係る歩行補助車の正面図、左側面図及び背面図である。
【図２】上記歩行補助車の連結杆近傍の構成を示す底面図である。
【図３】上記歩行補助車における連結部材の一例を示す平面図、正面図及び底面図である。
【図４】上記歩行補助車の使用状態を説明する図である。
【図５】上記歩行補助車における固定部材の一例を示す図である。
【符号の説明】
【００４１】
１  支持体
２  前輪（車輪）
３  後輪（車輪）
４  座席杆
５  補強連結杆
６  座席
７  背当て
８  連結杆
１０  歩行補助車
１６  固定部材
４３  第１の連結部材
４４  第２の連結部材
４５  規制部材
５３，５４  補強連結部材
【図１】
2005118155.tif 000003
【図２】
2005118155.tif 000004
【図３】
2005118155.tif 000005
【図４】
2005118155.tif 000006
【図５】
2005118155.tif 000007